(57)【要約】      （修正有）【課題】冷媒ポンプを使用しない吸収式冷凍装置のプレート式蒸発器において、冷媒蒸気流の影響を防止し、その伝熱プレート面における均一な濡れ性を確保する。【解決手段】吸収式冷凍装置であって、蒸発器４と吸収器５を各々の伝熱プレート４１が相互に同一軸線方向に並列になるように並設する一方、それら蒸発器と吸収器との間に下方側又は上方側、もしくは下方側および上方側の両方に連通空間を残した状態で仕切板１０を設け、上記蒸発器で蒸発した冷媒蒸気が同仕切板の上記連通空間からだけ上記吸収器へ流入できるようにすることによって、冷媒蒸気流が蒸発器の伝熱プレート間から吸収器の伝熱プレート間にストレートに流れ込んで、蒸発器伝熱プレート面上の濡れ性を悪化ささせる問題や偏流を生じさせる問題を解消した。【選択図】図３
2008202824.tif 000002
【特許請求の範囲】
【請求項１】
吸収希溶液を加熱することにより冷媒蒸気および吸収濃溶液を生成する発生器と、該発生器から供給される冷媒蒸気を凝縮して冷媒液化する凝縮器と、該凝縮器より供給される冷媒液を伝熱プレート面上に散布して蒸発させる蒸発器と、上記発生器から供給される吸収濃溶液に対して上記蒸発器で蒸発させた冷媒蒸気を吸収させる吸収器と、該吸収器で冷媒蒸気を吸収した吸収希溶液を上記発生器に供給する溶液ポンプとを備え、上記蒸発器の伝熱プレート面上に凝縮器からの冷媒液を散布することにより、冷媒を循環させることなく一過性で冷媒を蒸発させるようにしてなる吸収式冷凍装置であって、上記蒸発器と吸収器を各々の伝熱プレートが同一軸線方向に相互に並列になるように並設する一方、それら蒸発器と吸収器の間に下方側又は上方側の何れか一方側に連通空間を残した状態で仕切板を設け、上記蒸発器で蒸発した冷媒蒸気が同仕切板の上記下方側又は上方側何れか一方側の連通空間からだけ上記吸収器へ流入できるようにしたことを特徴とする吸収式冷凍装置。
【請求項２】
吸収希溶液を加熱することにより冷媒蒸気および吸収濃溶液を生成する発生器と、該発生器から供給される冷媒蒸気を凝縮して冷媒液化する凝縮器と、該凝縮器より供給される冷媒液を伝熱プレート面上に散布して蒸発させる蒸発器と、上記発生器から供給される吸収濃溶液に対して上記蒸発器で蒸発させた冷媒蒸気を吸収させる吸収器と、該吸収器で冷媒蒸気を吸収した吸収希溶液を上記発生器に供給する溶液ポンプとを備え、上記蒸発器の伝熱プレート面上に凝縮器からの冷媒液を散布することにより、冷媒を循環させることなく一過性で冷媒を蒸発させるようにしてなる吸収式冷凍装置であって、上記蒸発器と吸収器を各々の伝熱プレートが同一軸線方向に相互に並列になるように並設する一方、それら蒸発器と吸収器の間に下方側および上方側に連通空間を残した状態で仕切板を設け、上記蒸発器で蒸発した冷媒蒸気が同仕切板の上記下方側および上方側の連通空間から上記吸収器へ流入できるようにしたことを特徴とする吸収式冷凍装置。
【請求項３】
仕切板の上方側および下方側の連通空間の大きさは、下方側の方が大きく、上方側の方が小さく形成されていることを特徴とする請求項２記載の吸収式冷凍装置。
【請求項４】
連通空間には、エリミネータが設けられていることを特徴とする請求項１，２又は３記載の吸収式冷凍装置。
【発明の詳細な説明】
【技術分野】
【０００１】
本願発明は、吸収式冷凍装置の構成に関し、特に同装置の蒸発器および吸収器部分の構造の改良に関するものである。
【背景技術】
【０００２】
吸収式冷凍装置の場合、蒸発器では伝熱面に冷媒を散布させることで内部の被冷却流体を冷却するが、蒸発器下部に設けた冷媒溜まりの冷媒を冷媒循環ポンプにより繰り返し循環させて蒸発器伝熱面に散布し、蒸発させる冷媒循環ポンプ方式が大部分である。
【０００３】
しかし、小型の吸収式やその低コスト化には、冷媒ポンプのない冷媒ポンプレス方式の蒸発器が不可欠であり、従来の伝熱管式の冷媒ポンプレス蒸発器においては、伝熱管の外周に冷媒を保持し易い特殊な形状のフィンを設け、これによって伝熱面における冷媒の濡れ性と液滴の保持性とを向上させて、伝熱性能を向上させる等の工夫が行われている。
【０００４】
さらに、上記小型化、低コスト化には、上記のような伝熱管式のものよりはプレート式の蒸発器の方が最適と考えられるが、冷媒ポンプレス方式のプレート式蒸発器においては、当該伝熱プレートへの冷媒は凝縮器からの冷媒のみが供給されることから、伝熱プレート部への冷媒の散布量が冷媒ポンプ方式よりも極端に少流量となり、非常に濡れ性が悪化しやすい問題がある。
【０００５】
そして、その結果、伝熱プレートの伝熱プレート面上で全てが蒸発せずに未蒸発冷媒として同伝熱面より流下するものが増えると、そのまま冷媒損失となり、性能が大きく低下してしまう。
【０００６】
従って、プレート式蒸発器の伝熱プレートの伝熱面全面に均一に濡れ性を確保することは、上記のような冷媒ポンプレス方式のプレート式蒸発器にとっては最重要課題である。
【０００７】
これらの問題に関連して、例えばプレート式蒸発器の伝熱プレート面上に均一に濡れ性を確保する方法として、特許文献１の如く、蒸発器の伝熱プレート面に多孔質層（網状体や織金網、エキスパンドメタル等）を貼り付けるもの、また特許文献２の如く蒸発器のプレート表面に横方向の溝を設けるものなどがあった。
【０００８】
また、一方冷媒ポンプレス方式の蒸発器においては、冷媒が蒸発器の伝熱プレート面全面に均一に濡れている状態であればある程、蒸発した冷媒蒸気が吸収器に吸収される際に生じる吸収器へ流れる冷媒蒸気流が与える影響で、蒸発器伝熱プレートの伝熱面上を流れる冷媒の本来の流れが阻害され、場合によっては冷媒液が同伝熱面より落下し、有効に働かずに無効冷媒となってしまう現象や偏流を助長させる等の問題が発生する。
【０００９】
これに関し、上記蒸発した冷媒蒸気流の影響を利用して蒸発器の伝熱面における冷媒を薄膜化し、熱貫流率を増加させることによって性能を改善する方法として、例えば特許文献３に示されるようなものもある。しかし、該特許文献３には、上述のような冷媒ポンプレス方式での少ない冷媒散布量の下における蒸発した冷媒蒸気が吸収器に吸収される際に生じる冷媒蒸気流が性能に与える影響については、全く触れられていない。
【００１０】
そして、同影響についての対策については、これまでのところ蒸気速度を制限するために、特許文献４に見られる如く、伝熱プレートの間隔を最低限の寸法以上に制限するものが一般的である。
【００１１】
【特許文献１】特開平６−１１２０９号公報
【特許文献２】特開平１０−２２０９１４号公報
【特許文献３】特開平１１−２５７７９８号公報
【特許文献４】特開平１１−２０１５８５号公報
【発明の開示】
【発明が解決しようとする課題】
【００１２】
しかし、これらの方法では吸収器に吸収される冷媒蒸気流の影響をなくすには不十分であり、蒸発器伝熱プレートの伝熱面を流れる冷媒ポンプレス方式での少ない冷媒量を完全に有効に利用する事が出来なかった。
【００１３】
本願発明は、このような事情に基いてなされたもので、吸収式冷凍装置において、例えば上記特許文献３に示されるように冷媒蒸気流の影響をなくす方法として、蒸発器と吸収器の各伝熱プレート面が同一面方向に直列となるようには並設せず、それらが相互に平行となる同一軸線方向に並列に設置し、しかも蒸発器と吸収器との間に仕切り板を設け、蒸発器からの冷媒蒸気は当該仕切板の下方又は上方側の隙間からだけ吸収器へ流入することができるようにすることにより、蒸発器での冷媒蒸気流による影響で冷媒の流れが伝熱面より落下し、有効に働かず無効冷媒となってしまう現象等を効果的に防止できるようにした吸収式冷凍装置を提供することを目的とするものである。
【課題を解決するための手段】
【００１４】
本願発明は、上記の目的を達成するために、次のような課題解決手段を備えて構成されている。
【００１５】
（１）  請求項１の発明
この発明は、吸収希溶液を加熱することにより冷媒蒸気および吸収濃溶液を生成する発生器と、該発生器から供給される冷媒蒸気を凝縮して冷媒を液化する凝縮器と、該凝縮器より供給される冷媒液を伝熱プレート面上に散布して蒸発させる蒸発器と、上記発生器から供給される吸収濃溶液に対して上記蒸発器で蒸発させた冷媒蒸気を吸収させる吸収器と、該吸収器で冷媒蒸気を吸収した吸収希溶液を上記発生器に供給する溶液ポンプとを備え、上記蒸発器の伝熱プレート面上に凝縮器からの冷媒液を散布することにより、冷媒を循環させることなく一過性で冷媒を蒸発させるようにしてなる吸収式冷凍装置であって、上記蒸発器と吸収器を各々の伝熱プレートが同一軸線方向に相互に並列になるように並設する一方、それら蒸発器と吸収器の間に下方側又は上方側の何れか一方に連通空間を残した状態で仕切板を設け、上記蒸発器で蒸発した冷媒蒸気が同仕切板の上記下方側又は上方側何れか一方側の連通空間からだけ上記吸収器へ流入できるようにしたことを特徴としている。
【００１６】
このように、上記蒸発器と吸収器を各々の伝熱プレートが相互に並列になるように並設する一方、それら蒸発器と吸収器の間に下方側又は上方側何れか一方側の連通空間を残した状態で仕切板を設け、上記蒸発器で蒸発した冷媒蒸気が同仕切板の上記下方側又は上方側何れか一方側の連通空間からだけ上記吸収器へ流入できるようにすると、蒸発器で発生した冷媒蒸気が吸収器に吸収される時に生じる冷媒蒸気流がストレートに吸収器の伝熱プレート間に流れ込むことなく、上記仕切り板下部又は上部の連通空間からだけ吸収器へ流入するようになり、蒸発器の伝熱プレート間から吸収器の伝熱プレート間にストレートに流れ込んむ冷媒蒸気で蒸発器の伝熱プレート面上を流れる冷媒が当該伝熱プレート面から落下し、濡れ性を悪化させるとともに落下した冷媒が無効冷媒となって有効に働かずに吸収性能を低下させる問題も解消される。また、落下しないまでも偏流を生じる問題も低減される。
【００１７】
（２）  請求項２の発明
この発明は、吸収希溶液を加熱することにより冷媒蒸気および吸収濃溶液を生成する発生器と、該発生器から供給される冷媒蒸気を凝縮して冷媒液化する凝縮器と、該凝縮器より供給される冷媒液を伝熱プレート面上に散布して蒸発させる蒸発器と、上記発生器から供給される吸収濃溶液に対して上記蒸発器で蒸発させた冷媒蒸気を吸収させる吸収器と、該吸収器で冷媒蒸気を吸収した吸収希溶液を上記発生器に供給する溶液ポンプとを備え、上記蒸発器の伝熱プレート面上に凝縮器からの冷媒液を散布することにより、冷媒を循環させることなく一過性で冷媒を蒸発させるようにしてなる吸収式冷凍装置であって、上記蒸発器と吸収器を各々の伝熱プレートが同一軸線方向に相互に並列になるように並設する一方、それら蒸発器と吸収器の間に下方側および上方側に連通空間を残した状態で仕切板を設け、上記蒸発器で蒸発した冷媒蒸気が同仕切板の上記下方側および上方側の連通空間から上記吸収器へ流入できるようにしたことを特徴としている。
【００１８】
このように、上記蒸発器と吸収器を各々の伝熱プレートが同一軸線方向に相互に並列になるように並設する一方、それら蒸発器と吸収器の間に下方側および上方側に各々連通空間を残した状態で仕切板を設け、上記蒸発器で蒸発した冷媒蒸気が同仕切板の上記下方側と上方側の連通空間からだけ上記吸収器へ流入できるようにすると、蒸発器で発生した冷媒蒸気が吸収器に吸収される時に生じる冷媒蒸気流がストレートに吸収器の伝熱プレート間に流れ込むことなく、上記仕切り板の下部および上部の連通空間からだけ吸収器へ流入するようになり、蒸発器の伝熱プレート間から吸収器の伝熱プレート間にストレートに流れ込む冷媒蒸気流で蒸発器の伝熱プレート面上を流れる冷媒が当該伝熱プレート面から落下し、濡れ性を悪化させるとともに落下した冷媒が無効冷媒となって有効に働かずに吸収性能を低下させる問題も解消される。また、落下しないまでも偏流を生じる問題も低減される。
【００１９】
（３）  請求項３の発明
この発明は、上記請求項２の発明の構成において、仕切板の上方側および下方側の空隙の大きさは、下方側の方が大きく、上方側の方が小さく形成されていることを特徴としている。
【００２０】
上記請求項２の発明のように、仕切板の上下両方に蒸発器側と吸収器側とを連通させる空間を設けた場合には、それら仕切板の上方側および下方側の連通空間の大きさは、下方側の方が大きく、上方側の方が小さい方が効率的である。
【００２１】
（４）  請求項４の発明
この発明は、上記請求項１，２又は３の発明の構成において、空隙には、エリミネータが設けられていることを特徴としている。
【００２２】
以上の各請求項の発明のように、仕切板の上方又は下方、あるいは上下両方に蒸発器側と吸収器側とを連通させる連通空間を設けた場合には、それら連通空間には、できればエリミネータを設けることが好ましい。
【発明の効果】
【００２３】
以上の結果、本願発明の吸収式冷凍装置によると、冷媒蒸気の流れに左右されることなく蒸発器の伝熱プレート面全体の確実かつ均一な濡れ性が確保され、無効冷媒が減少して熱貫流率が増加する。
【００２４】
その結果、蒸発器伝熱プレート部の凝縮器からの少量の冷媒を散布して効率良く蒸発させる冷媒循環ポンプを使用しない一過性の冷媒ポンプレス方式の小型、低コストのプレート式蒸発器の蒸発効率を有効に向上させることができ、ひいては吸収式冷凍装置の吸収性能をも向上させることができる。
【発明を実施するための最良の形態】
【００２５】
（最良の実施の形態１）
図１〜図３は、本願発明の最良の実施の形態１に係る吸収式冷凍装置の構成を示している。
【００２６】
先ず同吸収式冷凍装置は、例えば冷媒として水（Ｈ２Ｏ）、吸収剤として臭化リチウム（ＬｉＢｒ）が採用されている。
【００２７】
そして、図１に示すように、後述する吸収器５からの吸収希溶液を排温水熱交換器１ａで加熱することにより冷媒蒸気および吸収濃溶液を生成する発生器１と、後述する吸収器５からの吸収希溶液と上記発生器１からの吸収濃溶液とを相互に熱交換させる溶液熱交換器２と、上記発生器１からの冷媒蒸気を冷却水熱交換器３ａにより凝縮して冷媒液化する凝縮器３と、該凝縮器３から供給される冷媒液を図２、図３に示すような冷媒タンク（冷媒ヘッダ）４ｂの冷媒散布口４０，４０・・・を介して伝熱プレート部４ａの内部通路４１ａ，４１ａに冷水が流されている伝熱プレート４１，４１の伝熱プレート面上に散布して蒸発させる蒸発器４と、上記発生器１からの吸収濃溶液を濃溶液タンク（濃溶液ヘッダ）５ｂの濃溶液散布口５０，５０・・・を介して内部通路５１ａ，５１ａ・・・に冷却水が流されている伝熱プレート５１，５１・・・上に流し、同濃溶液に対して上記蒸発器４で蒸発させた冷媒蒸気を冷却水で吸収熱を放熱しながら吸収する吸収器５と、該吸収器５で冷媒蒸気を吸収した吸収希溶液を上記溶液熱交換器２を介して上記発生器１に供給する溶液ポンプ７とを備えて構成されているが、上記蒸発器４と吸収器５は、同一の蒸発器および吸収器ケーシング６内の相互に連通された蒸発室６ａと吸収室６ｂ部分に相互の伝熱プレート面が各々同一軸線方向に平行に並ぶようにしてコンパクトに並設され、上記蒸発器４の底部に留る冷媒液を従来のように専用の冷媒循環ポンプを用いて繰り返し循環させて伝熱プレート４１，４１上に散布するのではなく、蒸発器伝熱プレート４１，４１へは凝縮器からの冷媒のみを供給し、蒸発器伝熱プレートで蒸発した冷媒蒸気を吸収器で吸収し、希溶液となって吸収室６ｂの底部に留められ、上記溶液ポンプ７によって上記発生器１に供給されるようになっている。
【００２８】
そして、それにより冷媒循環ポンプを不要にして装置の小型、低コスト化を図るようにしている。
【００２９】
しかし、このような冷媒ポンプレス方式のプレート式蒸発器４においては、上述のように必然的に伝熱プレート４１，４１の伝熱プレート面上に散布される冷媒の散布量が凝縮器からの冷媒量に限られるので、冷媒の散布量が冷媒ポンプ方式よりは極端に少流量となる。したがって、このようなシステムの場合、上記伝熱プレート４１，４１・・・の伝熱プレート面で蒸発せずに未蒸発冷媒として伝熱プレート面より落下する冷媒は、そのまま冷媒損失となって性能が大きく低下してしまう。
【００３０】
このため、上述のようなプレート式蒸発器の伝熱プレート４１，４１の伝熱プレート面全面に、均一に安定した濡れ性を確保することは性能向上のために極めて重要な課題となる。
【００３１】
従って、上記のような冷媒ポンプレス方式の蒸発器４においては、冷媒が蒸発器４の伝熱プレート４１，４１・・・の伝熱プレート面全面に均一に濡れている状態であればある程、蒸発した冷媒蒸気が吸収器５に吸収される際に生じる吸収器５への冷媒蒸気流が与える影響で、蒸発器４の伝熱プレート４１，４１の伝熱プレート面を流れる冷媒の流れが阻害され、冷媒液が伝熱プレート面より落下し、有効に働かずに無効冷媒となってしまう現象や蒸気流により冷媒の流れに偏流が発生したりする。
【００３２】
そこで、本実施の形態では、このような事情に鑑み、そのような冷媒蒸気流の影響をなくす方法として、蒸発器４の伝熱プレート４１，４１と吸収器５の伝熱プレート５１，５１・・・とを各々伝熱プレート面が同一平面方向となるような直列状態には設置せず、相互の各伝熱プレート面がそれぞれ同一軸線方向に平行に並ぶように並列な状態に設置し、しかも蒸発器４と吸収器５との間に図示のような仕切り板１０を設け、蒸発器４からの冷媒蒸気は同仕切り板１０の下方部に設けた連通空間７ａからだけ吸収器５へと流入するようにすることにより、蒸発器４での冷媒蒸気流による影響で冷媒液の流れが伝熱プレート４１，４１・・・の伝熱プレート面より落下し、有効に働かず無効冷媒となってしまう現象等を防止出来るようにしている。
【００３３】
すなわち、同構成では、仕切り板１０は、その上端側１０ｂを蒸発器および吸収器ケーシング６の上面部６１の下面に、また左右両端側を蒸発器４もしくは吸収器ケーシング６の左右両側壁面６２，６３に、それぞれ接合シールして一体化する一方、下端側１０ａと上記蒸発器もしくは吸収器ケーシング６の底面６４との間には蒸発器４側の冷媒蒸気が上方から下方に、下方から上方にＵ状に曲成して吸収器５の伝熱プレート５１，５１・・・間に供給される連通空間７ａが形成されるようにしている。
【００３４】
このような構成の場合、蒸発器４で発生した冷媒蒸気が吸収器５に吸収される時に生じる冷媒蒸気流が、従来のようにストレートに吸収器５の伝熱プレート５１，５１・・・間に流れ込むことなく、上記仕切り板１０下部の連通空間（吸収器５および蒸発器４の伝熱プレート５１，５１・・・、４１，４１の幅に対応した左右方向に長い空間部）７ａからだけ吸収器５へ均等に流入するようになり、冷媒蒸気流が蒸発器４の伝熱プレート４１，４１・・・間から吸収器５の伝熱プレート５１，５１・・・間に速い流速でストレートに流れ込んで、その時の蒸気流により蒸発器４の伝熱プレート面上の冷媒の落下、濡れ性分布を悪化させる問題や偏流を生じるさせる問題が確実に解消される。
【００３５】
（変形例）
なお、以上の構成における仕切り板１０の連通空間は、例えば下方側をシールして上方側にのみ形成しても略同様の作用を得ることができる。
【００３６】
（最良の実施の形態２）
次に図４および図５は、本願発明の最良の実施の形態２に係る吸収式冷凍装置の蒸発器および吸収器部分の構成と作用を示している。
【００３７】
この実施の形態では、上述の最良の実施の形態１の構成における仕切り板１０の上端１０ａ側を短かくし、その下方側および上方側の両方に蒸発室６ａと吸収室６ｂとを連通させる連通空間７ａ，７ｂを形成したことを特徴とするものであり、その他の部分の構成は上述の図１〜図３のもの全く同様である。
【００３８】
このような構成によっても、蒸発器４で発生した冷媒蒸気が吸収器５に吸収される時に生じる冷媒蒸気流がストレートに吸収器５の伝熱プレート５１，５１・・・間に流れ込むことなく、上記仕切り板１０下部側の連通空間７ａと上部側の連通空間７ｂを介して、下方から上方、上方から下方に、また下方から上方、上方から下方に迂回せしめられて吸収器５の伝熱プレート５１，５１・・・間へ流入するようになり、冷媒蒸気流が蒸発器４の伝熱プレート４１，４１・・・間から吸収器５の伝熱プレート５１，５１・・・間にストレートに流れ込んで、その時の蒸気流により、上記蒸発器４の伝熱プレート面上の濡れ性を悪化させる問題や偏流を生じさせる問題等が解消される。
【図面の簡単な説明】
【００３９】
【図１】本願発明の最良の実施の形態１に係る吸収式冷凍装置の冷凍サイクルを示す冷凍回路図である。
【図２】同吸収式冷凍装置の蒸発器および吸収器部分の構成を示す斜視図である。
【図３】同吸収式冷凍装置の蒸発器および吸収器部分における蒸発器側から吸収器側への冷媒蒸気の流れを示す断面図である。
【図４】本願発明の最良の実施の形態２に係る吸収式冷凍装置の蒸発器および吸収器部分の構成を示す斜視図である。
【図５】同吸収式冷凍装置の蒸発器および吸収器部分における蒸発器側から吸収器側への冷媒蒸気の流れを示す断面図である。
【符号の説明】
【００４０】
１は発生器、２は溶液熱交換器、３は凝縮器、４は蒸発器、４ａは蒸発器４の伝熱プレート部、４ｂは蒸発器４の冷媒タンク、５は吸収器、６は蒸発室および吸収室を一体に形成するケーシング、７は溶液ポンプ、１０は仕切板、１１は希溶液配管、１２は冷媒蒸気配管、１３は濃溶液配管、１４は冷媒供給管、１５は吸収希溶液還流配管、１６は開閉制御弁、４０は冷媒散布孔、４１は伝熱プレート、５０は濃溶液散布口、５１は吸収器５の伝熱プレート、４ａは蒸発器４の伝熱プレート部、４ｂは冷媒タンク、５ａは吸収器５の伝熱プレート部、５ｂは濃溶液タンクである。
【図１】
2008202824.tif 000003
【図２】
2008202824.tif 000004
【図３】
2008202824.tif 000005
【図４】
2008202824.tif 000006
【図５】
2008202824.tif 000007